【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
光源手段から射出された複数の光束を偏向手段に導光し、該偏向手段により偏向された複数の光束を走査光学手段により被走査面上に導光し、該偏向手段により偏向された複数の光束の一部をそれぞれ同期検知手段に導き、該同期検知手段で得た同期信号を用いて該複数の光束のそれぞれの書き出し位置タイミング決定するマルチビーム走査装置において、
前記同期検知手段は同期検知のタイミングを決めるガラス繊維を混ぜ込んだプラスチック材料で形成された同期位置決定手段を有し、前記偏向手段から前記同期検知手段までの光路中に前記走査光学手段とは別体の同期検知用光学手段を有し、該走査光学手段の主走査方向の焦点距離をｆｋ（ｍｍ）、該同期検知用光学手段の主走査方向の焦点距離をｆｂ（ｍｍ）、該同期位置決定手段の主走査方向の凸凹差をＬｍ（ｍｍ）、前記被走査面上の主走査方向における画素密度をＡｍ（ｄｐｉ）としたとき、
０（ｍｍ）＜Ｌｍ≦（２５．４／Ａｍ／３）×（ｆｂ／ｆｋ）
ｆｋ＞ｆｂ
なる条件を満足することを特徴とするマルチビーム走査装置。
【請求項２】
光源手段から射出された複数の光束を偏向手段に導光し、該偏向手段により偏向された複数の光束を走査光学手段により被走査面上に導光し、該偏向手段により偏向された複数の光束の一部をそれぞれ同期検知手段に導き、該同期検知手段で得た同期信号を用いて該複数の光束のそれぞれの書き出し位置タイミング決定するマルチビーム走査装置において、
前記同期検知手段は同期検知のタイミングを決めるガラス繊維を混ぜ込んだプラスチック材料で形成された同期位置決定手段を有し、該同期位置決定手段の主走査方向の凸凹差をＬｍ（ｍｍ）、前記被走査面上の主走査方向における画素密度をＡｍ（ｄｐｉ）としたとき、
Ｌｍ≦（２５．４／Ａｍ／３）
なる条件を満足することを特徴とするマルチビーム走査装置。
【請求項３】
光源手段から射出された複数の光束を偏向手段に導光し、該偏向手段により偏向された複数の光束を走査光学手段により被走査面上に導光し、該偏向手段により偏向された複数の光束の一部をそれぞれ同期検知手段に導き、該同期検知手段で得た同期信号を用いて該複数の光束のそれぞれの書き出し位置タイミング決定するマルチビーム走査装置において、
前記同期検知手段は同期検知のタイミングを決めるガラス繊維を混ぜ込んだプラスチック材料で形成された同期位置決定手段を有し、該複数の光束が副走査方向に互いに異なる位置を走査される該同期位置決定手段のエッジ部の材質をガラス繊維を含まないプラスチック材料、又は、金属製、又はビニール製で形成されていることを特徴とするマルチビーム走査装置。
【請求項４】
光源手段から射出された複数の光束を偏向手段に導光し、該偏向手段により偏向された複数の光束を走査光学手段により被走査面上に導光し、該偏向手段により偏向された複数の光束の一部をそれぞれ同期検知手段に導き、該同期検知手段で得た同期信号を用いて該複数の光束のそれぞれの書き出し位置タイミング決定するマルチビーム走査装置において、
前記複数の光束が副走査方向に互いに異なる位置を走査される前記同期検知手段の受光面上のエッジ部がエッチング加工されていることを特徴とするマルチビーム走査装置。
【請求項５】
請求項１乃至４のいずれか一項に記載のマルチビーム走査装置と、前記被走査面に配置された感光体と、前記マルチビーム走査装置で走査された光束によって前記感光体上に形成された静電潜像をトナー像として現像する現像器と、前記現像されたトナー像を被転写材に転写する転写器と、転写されたトナー像を被転写材に定着させる定着器とを有することを特徴とする画像形成装置。
【請求項６】
請求項１乃至４のいずれか一項に記載のマルチビーム走査装置と、外部機器から入力したコードデータを画像信号に変換して前記マルチビーム走査装置に入力せしめるプリンタコントローラとを有していることを特徴とする画像形成装置。
【請求項７】
各々が請求項１乃至４のいずれか一項に記載のマルチビーム走査装置から成る複数のマルチビーム走査装置と、各々のマルチビーム走査装置の被走査面に配置され、互いに異なった色の画像を形成する複数の像担持体とを有することを特徴とするカラー画像形成装置。
【請求項８】
外部機器から入力した色信号を異なった色の画像データに変換して各々のマルチビーム走査装置に入力せしめるプリンタコントローラとを有していることを特徴とする請求項７記載のカラー画像形成装置。
【手続補正２】
【補正対象書類名】明細書
【補正対象項目名】００１１
【補正方法】変更
【補正の内容】
【００１１】
請求項１の発明のマルチビーム走査装置は、光源手段から射出された複数の光束を偏向手段に導光し、該偏向手段により偏向された複数の光束を走査光学手段により被走査面上に導光し、該偏向手段により偏向された複数の光束の一部をそれぞれ同期検知手段に導き、該同期検知手段で得た同期信号を用いて該複数の光束のそれぞれの書き出し位置タイミング決定するマルチビーム走査装置において、
前記同期検知手段は同期検知のタイミングを決めるガラス繊維を混ぜ込んだプラスチック材料で形成された同期位置決定手段を有し、前記偏向手段から前記同期検知手段までの光路中に前記走査光学手段とは別体の同期検知用光学手段を有し、該走査光学手段の主走査方向の焦点距離をｆｋ（ｍｍ）、該同期検知用光学手段の主走査方向の焦点距離をｆｂ（ｍｍ）、該同期位置決定手段の主走査方向の凸凹差をＬｍ（ｍｍ）、前記被走査面上の主走査方向における画素密度をＡｍ（ｄｐｉ）としたとき、
０（ｍｍ）＜Ｌｍ≦（２５．４／Ａｍ／３）×（ｆｂ／ｆｋ）
ｆｋ＞ｆｂ
なる条件を満足することを特徴としている。
請求項２の発明のマルチビーム走査装置は、光源手段から射出された複数の光束を偏向手段に導光し、該偏向手段により偏向された複数の光束を走査光学手段により被走査面上に導光し、該偏向手段により偏向された複数の光束の一部をそれぞれ同期検知手段に導き、該同期検知手段で得た同期信号を用いて該複数の光束のそれぞれの書き出し位置タイミング決定するマルチビーム走査装置において、
前記同期検知手段は同期検知のタイミングを決めるガラス繊維を混ぜ込んだプラスチック材料で形成された同期位置決定手段を有し、該同期位置決定手段の主走査方向の凸凹差をＬｍ（ｍｍ）、前記被走査面上の主走査方向における画素密度をＡｍ（ｄｐｉ）としたとき、
Ｌｍ≦（２５．４／Ａｍ／３）
なる条件を満足することを特徴としている。
請求項３の発明のマルチビーム走査装置は、光源手段から射出された複数の光束を偏向手段に導光し、該偏向手段により偏向された複数の光束を走査光学手段により被走査面上に導光し、該偏向手段により偏向された複数の光束の一部をそれぞれ同期検知手段に導き、該同期検知手段で得た同期信号を用いて該複数の光束のそれぞれの書き出し位置タイミング決定するマルチビーム走査装置において、
前記同期検知手段は同期検知のタイミングを決めるガラス繊維を混ぜ込んだプラスチック材料で形成された同期位置決定手段を有し、該複数の光束が副走査方向に互いに異なる位置を走査される該同期位置決定手段のエッジ部の材質をガラス繊維を含まないプラスチック材料、又は、金属製、又はビニール製で形成されていることを特徴としている。
請求項４の発明のマルチビーム走査装置は、光源手段から射出された複数の光束を偏向手段に導光し、該偏向手段により偏向された複数の光束を走査光学手段により被走査面上に導光し、該偏向手段により偏向された複数の光束の一部をそれぞれ同期検知手段に導き、該同期検知手段で得た同期信号を用いて該複数の光束のそれぞれの書き出し位置タイミング決定するマルチビーム走査装置において、
前記複数の光束が副走査方向に互いに異なる位置を走査される前記同期検知手段の受光面上のエッジ部がエッチング加工されていることを特徴としている。
【手続補正３】
【補正対象書類名】明細書
【補正対象項目名】００１２
【補正方法】変更
【補正の内容】
【００１２】
請求項５の発明の画像形成装置は、請求項１乃至４のいずれか一項に記載のマルチビーム走査装置と、前記被走査面に配置された感光体と、前記マルチビーム走査装置で走査された光束によって前記感光体上に形成された静電潜像をトナー像として現像する現像器と、前記現像されたトナー像を被転写材に転写する転写器と、転写されたトナー像を被転写材に定着させる定着器とを有することを特徴としている。
請求項６の発明の画像形成装置は、請求項１乃至４のいずれか一項に記載のマルチビーム走査装置と、外部機器から入力したコードデータを画像信号に変換して前記マルチビーム走査装置に入力せしめるプリンタコントローラとを有していることを特徴としている。
【手続補正４】
【補正対象書類名】明細書
【補正対象項目名】００１３
【補正方法】変更
【補正の内容】
【００１３】
請求項７の発明のカラー画像形成装置は、各々が請求項１乃至４のいずれか一項に記載のマルチビーム走査装置から成る複数のマルチビーム走査装置と、各々のマルチビーム走査装置の被走査面に配置され、互いに異なった色の画像を形成する複数の像担持体とを有することを特徴としている。
請求項８の発明は、請求項７の発明において、外部機器から入力した色信号を異なった色の画像データに変換して各々のマルチビーム走査装置に入力せしめるプリンタコントローラとを有していることを特徴としている。